(57)【要約】【課題】施工が容易で、都市の街並みや住宅のたたずまいにもよくマッチするフェンス。【解決手段】間隔をおいて設置された支柱１の上下部に係止金具２を固定し、これらの上下部の係止金具２に横材４をそれぞれ係止して固定するとともに、上記横材４にパネル固定金具１０を取り付け、パネル固定金具１０には上記横材４に固定する固着部１１とパネル取付部１３とを設け、パネル取付部１３には、フランジ部１４とフランジ部１４の面から垂直に突出した凸部１５とを形成し、凸部１５をパネル１８に形成した孔に貫通させ、パネル１８をフランジ部１４と凸部１５の先端側に設けられた止め部材２１との間に挟持固定した。【選択図】図４
2006257802.tif 000002
【特許請求の範囲】
【請求項１】
間隔をおいて設置された支柱の上下部に係止金具を固定し、これらの上下部の係止金具に横材をそれぞれ係止して固定するとともに、上記横材にパネル固定金具を取り付け、該パネル固定金具には上記横材に固定する固着部とパネル取付部とを設け、パネル取付部には、フランジ部とフランジ部の面から垂直に突出した凸部とを形成し、この凸部をパネルに形成した孔に貫通させ、パネルを上記フランジ部と凸部の先端側に設けられた止め部材との間に挟持固定したことを特徴とするフェンス。
【請求項２】
前記パネル固定金具の凸部と前記パネルの貫通孔とは、上部のパネル固定金具の凸部にパネルの上部の貫通孔が係合したとき、上記上部のパネル固定金具よりも下方に位置する固定金具の凸部には、上記パネルの貫通孔の下部に位置する貫通孔の内面が接することなく貫通するように配置されたことを特徴とする、請求項１記載のフェンス。
【発明の詳細な説明】
【技術分野】
【０００１】
本発明は、特にアクリル樹脂やガラスなどのパネルを主体としたフェンスに関するものである。
【背景技術】
【０００２】
一般に、フェンスはその支柱による支持方式により間柱式フェンスと自在柱式フェンスとに分けられる。特許文献１に示すように、間柱式フェンスは各パネルの両端に支柱を立てて支持するものであり、自在柱式フェンスは一定の間隔をおいて設置された支柱にパネルを取り付けるものである。このように、間柱式フェンスは多くの支柱によってパネルを支持するものであるから、自在柱式フェンスよりも支持強度は高いが、その反面、支柱が多すぎるから見栄えの点では自在柱式フェンスよりも見劣りする。
【特許文献１】特開２０００−１７９１９１公報
【発明の開示】
【発明が解決しようとする課題】
【０００３】
このように両方式ともに一長一短があるが、間柱方式では施工に多くの手間がかかる。その理由は、支柱の数が多く、一枚のパネルの両側を２本の支柱で支持するのであるから、各支柱の上下対応位置に固定金具を取り付けておき、各固定金具に形成した凸部をパネルに予め形成した孔に貫通させて固定するのであるが、各支柱の固定金具の位置とパネルの孔とを正確に対応させておかなければならず、１つでも固定金具の対応位置が異なれば、パネルの取り付けができないので、固定金具の取り付けをやり直ししなければならない。つまり、左右の固定金具を水平に配置して固定しなければならないが、特に傾斜地に支柱を立てる場合には左右の固定金具の水平をとるのが非常に面倒であった。
【０００４】
また、都市型住宅は狭小地に建てられ、建物はコンクリートのような人工的造作が多く、庭も小さいので、その敷地のフェンスとして重厚な鋳物のフェンスや自然の竹垣を模したようなフェンスは不似合いである。
【０００５】
本発明は上記問題点を解消し、特に施工が容易で、都市の街並みや住宅のたたずまいにもよくマッチするフェンスを提供することをその課題とする。
【課題を解決するための手段】
【０００６】
前記課題を解決するため、請求項１に係る発明は、間隔をおいて設置された支柱の上下部に係止金具を固定し、これらの上下部の係止金具に横材をそれぞれ係止して固定するとともに、上記横材にパネル固定金具を取り付け、該パネル固定金具には上記横材に固定する固着部とパネル取付部とを設け、パネル取付部には、フランジ部とフランジ部の面から垂直に突出した凸部とを形成し、この凸部をパネルに形成した孔に貫通させ、パネルを上記フランジ部と凸部の先端側に設けられた止め部材との間に挟持固定したことを特徴とする。
【０００７】
請求項２に係る発明は、前記パネル固定金具の凸部と前記パネルの貫通孔とは、上部のパネル固定金具の凸部にパネルの上部の貫通孔が係合したとき、上記上部のパネル固定金具よりも下方に位置する固定金具の凸部には、上記パネルの貫通孔の下部に位置する貫通孔の内面が接することなく貫通するように配置されたことを特徴とする。
【発明の効果】
【０００８】
請求項１に係る発明によれば、間隔をおいて設置された支柱の上下部に横材を設け、これらの上下部の横材にパネルを順次取り付けていく方式であり、傾斜地であるかどうかに関係なく横材を水平にすることにより各パネル固定金具は横材に対して同じ態様で取り付ければ同じ横材のパネル固定金具同士は自動的に水平になる。したがって、パネルの取り付けも容易に行なうことができる。
【０００９】
また、固定金具の凸部をパネルの貫通孔に貫通させ、パネルをフランジ部と凸部の先端側に設けられた止め部材との間に挟持固定する構成であるから、取り付け作業も簡単である。
【００１０】
さらに、自在柱式フェンスなので、柱の数が少なくて済むとともに、パネルを正面側（柱や横材の反対側）から見ればほとんどがパネルであり（止め部材は小さい）、透光性を有するから狭小地に建てられても敷地が実際よりも広く感じられ、住み心地がよく、従来とは全く異なる素材を主構成部材とするものであるから、コンクリートのような人工的造作の多い都市型の住宅や都市の街並みにもよくマッチする。
【００１１】
請求項２に係る発明によれば、パネルを取り付けるにあたっては、まずパネルを持ち上げて傾け、上部のパネル固定金具の凸部をパネルの上部の貫通孔だけに係合させてパネルを上部のパネル固体金具に吊り下げるようにすると、下方の固定金具の凸部は、それぞれに対応する上記パネルの下方の孔が自然に貫通するので、パネルはその状態で保持される。したがって、あとはパネルをフランジ部と止め部材との間に挟持固定すればよいので、取り付けが非常に楽であり、施工性が向上する。
【発明を実施するための最良の形態】
【００１２】
図１はフェンスの外観図、図２はその要部の平面図、図３は要部の断面図であり、図４はパネル取り付け部分の分解斜視図である。
【００１３】
図において符号Ａは門扉、Ｂはフェンスを示す。フェンスＢにおいて符号１は支柱である。支柱１は中空で間隔をおいて設置され、各支柱１の（敷地外側に面する）正面の上部位置と下部位置には短尺の係止金具２がビス３により固定されている。係止金具２は上片２ａと下片２ｂとをＺ字形に連結してなり、下片２ｂは支柱１に固定され、上片２ａは支柱１面から離間して上向きになるように設けられている。各支柱１において上下に対応する係止金具２をむすぶ直線は水平になるように配置される。
【００１４】
上部および下部の係止金具２に対応する位置には中空の横材４が係止されている。横材４は中空に形成され、断面は略Ｄ字形で、背面の長手方向に沿って凹部５が形成され、凹部５の上下部には係止溝６が形成されている。横材４は、その背面側の係止溝６を支柱１の係止金具２の上片２ａに係止させ、さらにビス７によって支柱１に固定されている。
【００１５】
なお、各係止金具２および横材４の水平は水準器等を用いれば容易に出すことができる。
【００１６】
上記横材４にはパネル固定金具１０が取り付けられている。パネル固定金具１０は、図４に示されるように、上記横材４に固定するための固着部１１と、固着部１１の中央から垂直に立ち上げられたアーム部１２と、アーム部１２の先端に設けられたパネル取付部１３とからなり、パネル取付部１３にはフランジ部１４とフランジ部１４の表面の中心から垂直に突出した円軸状の凸部１５とが形成されている。フランジ部１４の表面は平面で、その上下部に突起１６が形成されている。凸部１５の中心には雌ネジ１７が形成されている。また、凸部１５の外端１５ｐは外方に膨出している。パネル固定金具１０は各横材４の上面と下面の同じ位置に配置固定されている。
【００１７】
パネル固定金具１０にはパネル１８が取り付けられている。パネル１８はアクリル樹脂によって構成されているが、ガラス板や木板や他の樹脂板であってもよい。パネル１８にはパネル固定金具１０の凸部１５に対応する位置に、凸部１５が貫通する大きさの貫通孔１９が形成されている。
【００１８】
次に、上記パネル固定金具１０にパネル１８を取り付ける場合は、２枚の傷防止プレート２０と止め部材２１とを使用する。傷防止プレート２０は合成樹脂製でドーナツ状に形成され、中央にはパネル取付部１３の凸部１５よりもやや大きい孔２２が形成され、この孔２２のまわりに等間隔に４個の小孔２３が形成されている。止め部材２１も円板状に形成され、中央にはビス２４の挿通孔２５が形成され、背面にはパネル取付部１３の突起１６と同様の突起（図示せず）が形成されている。
【００１９】
次に、上記パネル固定金具１０にパネル１８を取り付けるときは、図２、図３および図４に示されるように、パネル固定金具１０の凸部１５に傷防止プレート２０を取り付けておき、パネル１８の貫通孔１９に、対応するパネル固定金具１０の凸部１５を貫通させ、パネル１８の背面を傷防止プレート２０を介してフランジ部１４の表面に当接させる。そして、パネル１８の正面側に傷防止プレート２０を介して止め部材２１を配置し、止め部材２１の中央のビス挿通孔２５からビス２４を挿通し、凸部１５の中央の雌ネジ１７に螺合して締め付け、パネル１８を上記フランジ部１４と凸部１５の先端側に設けられた止め部材２１との間に挟持固定する。
【００２０】
なお、傷防止プレート２０はみだりに回転しないように、その小孔をフランジ部１４と止め部材２１の突起１６に嵌合させる。
【００２１】
上述のように、上記フェンスは、間隔をおいて設置された支柱１の上下部に横材４を設け、これらの上下部の横材４にパネル１８を順次取り付けていく方式であり、傾斜地であるかどうかに関係なく横材４を水平にすることにより各パネル固定金具１０は横材４に対して同じ態様で取り付ければ同じ横材４のパネル固定金具１０同士は自動的に水平になる。したがって、パネル１８の取り付けも容易に行なうことができる。
【００２２】
また、固定金具の凸部１５をパネル１８の貫通孔１９に貫通させ、パネル１８をフランジ部１４と凸部１５の先端側に設けられた止め部材２１との間に挟持固定する構成であるから、取り付け作業も簡単である。
【００２３】
さらに、柱の数が少なくて済むとともに、パネル１８を正面側（道路側）から見ればほとんどがパネル１８であり（止め部材２１は小さい）、透光性を有するから狭小地に設置されても敷地が実際よりも広く感じられ、住み心地がよく、従来とは全く異なる素材を主構成部材とするものであるから、コンクリートのような人工的造作の多い都市型の住宅や都市の街並みにもよくマッチする。
【００２４】
ところで、上述のように、パネル１８をパネル固定金具１０に取り付けるときは、図５（ａ）に示されるように、まずパネル固定金具１０のうち最上部のパネル固定金具１０ａの凸部１５に上記パネル１８の最上部の貫通孔１９ａが係合したとき、同図（ｂ）のように上記最上部のパネル固定金具１０ａよりも下方に位置する固定金具１０の凸部１５には、上記パネル１８の貫通孔１９ａの下方に位置する貫通孔１９の内面が接することなく貫通するように、上下のパネル固定金具１０の凸部１５ａ、１５の位置とパネル１８の上下の貫通孔１９ａ、１９の位置との間隔を調整配置するのが好ましい。
【００２５】
これによれば、パネル１８を取り付けるにあたっては、まずパネル１８を持ち上げて傾け、最上部のパネル固定金具１０の凸部１５ａをパネル１８の最上部の貫通孔１９ａだけに係合させてパネル１８を最上部のパネル固定金具１０に吊り下げるようにすると、下方の固定金具の凸部１５は、それぞれに対応する上記パネル１８の下方の貫通孔１９に自然に貫通するので、パネル１８はその状態で保持される。したがって、あとはパネル１８をフランジ部１４と止め部材２１との間に挟持固定すればよいから、取り付けが非常に楽であり、効率的に施工できる。
【００２６】
なお、パネルを３段以上に高く配設する場合は、３段と２段のパネルと固定金具との関係についても、同様の配置にするのが好ましい。
【００２７】
次に、パネル１８を横に連接するときは、図６のように隣り合うパネル１８、１８の間の上下端部を連結ピース２６を介して連接するのが好ましい。連結ピース２６は図７（ａ）（ｂ）（ｃ）に示されるように、半円形状を成し、内部両側には隔壁をはさんで２つのパネル嵌合溝２７が形成され、さらに嵌合溝２７の溝幅方向の両側にはかす受け２８が形成されている。そして、各嵌合溝２７に各パネル１８が嵌合され、ネジ２９で締め付け固定されている。
【００２８】
なお、ネジがパネル１８を削りながらねじ込まれる場合、削りかす３０が出るが、削りかす３０はかす受け２８に排出され、さらに落下するから、ねじ込み部分が削りかすで汚れることはない。
【００２９】
また、パネル１８を左右と上下に連接するときは、図８のように左右と上下に隣り合うパネル１８、１８、１８、１８の間を連結手段３１を介して連接するのが好ましい。連結手段３１は図９（ａ）（ｂ）および図１０に示されるように、円形ピース３２と上述の傷防止プレート２０と止め部材２１とによって構成されている。円形ピース３２は円板本体３３の一側に高さの異なる十字形の凸部３４、３５を直径方向に形成し、中心部にビス孔３６を形成したものである。そして、円形ピース３２と上述の傷防止プレート２０と止め部材２１とによって４枚のパネル１８を挟み、止め部材２１の中央のビス挿通孔２５からビス３７が挿通され、円形ピース３２の中央のビス孔３６に螺合されて締め付け固定されている。パネル１８は円形ピース３２の縦横の凸部３４、３５に係合して正確に位置決めされる。
【００３０】
以上のように、左右と上下に隣り合うパネル１８、１８・・・は連結ピース２６や連結手段３１を介して連接されているから、隣り合うパネル１８、１８の各コーナーが面に直交する方向にずれないで表面が面一になるように位置決めがなされる。したがって、フェンス全体の外観が向上する。
【図面の簡単な説明】
【００３１】
【図１】フェンスの外観図である。
【図２】上記フェンスの要部の平面図である。
【図３】上記フェンスの要部の断面図である。
【図４】パネル取り付け部分の分解斜視図である。
【図５】（ａ）（ｂ）はパネルの取り付け態様説明図である。
【図６】パネルを横に連接した状態の外観図である。
【図７】（ａ）は上記フェンスのパネル連接部の正面図、（ｂ）は上記（ａ）の底面図、（ｃ）は上記（ａ）のＸ−Ｘ線上の断面図である。
【図８】パネルを縦横に連接した状態の外観図である。
【図９】（ａ）はパネル連接部の正面図であり、（ｂ）は（ａ）のＹ−Ｙ線上の断面図である。
【図１０】パネル連接態様を示す分解斜視図である。
【符号の説明】
【００３２】
１    支柱
２    係止金具
４    横材
１０  固定金具
１３  パネル取付部
１４  フランジ部
１５  凸部
１８  パネル
【図１】
2006257802.tif 000003
【図２】
2006257802.tif 000004
【図３】
2006257802.tif 000005
【図４】
2006257802.tif 000006
【図５】
2006257802.tif 000007
【図６】
2006257802.tif 000008
【図７】
2006257802.tif 000009
【図８】
2006257802.tif 000010
【図９】
2006257802.tif 000011
【図１０】
2006257802.tif 000012